(57)【要約】      （修正有）【課題】バイアル瓶内部の輸液を人体へスムーズに圧送可能な点滴補助用圧送装置を提供する。【解決手段】輸液を収容するバイアル瓶と、導管チューブと、バイアル瓶と導管チューブとの間に設けられているポンプ圧送装置３と、を備える。ポンプ圧送装置３は、容器３０と、ケーシング５０と、弁座４０と、下部逆止弁体４２と、蓋体５５と、筐体６０と、上部逆止弁体６１と、芯体７０と、コイル８３とを有する。コイル８３は、容器３０に取り付けられており、芯体７０、筐体６０、および、蓋体５５を容器３０の内部で移動させる少なくとも一つのコイル８３と、を有する。ケーシング５０が弁座４０と接近する方向に移動したとき、下部逆止弁体４２がケーシング５０のバルブシート５３から離れる。ケーシング５０が弁座４０から離れる方向に移動したとき、上部逆止弁体６１が蓋体５５の穴部５６から離れ、輸液が蓋体５５に流れる。【選択図】図２
0003193055.tif 000002
【実用新案登録請求の範囲】
【請求項１】
輸液を収容するバイアル瓶（１０）と、導管チューブ（２０）と、前記バイアル瓶（１０）と前記導管チューブ（２０）との間に設けられているポンプ圧送装置（３）と、を備え、
前記ポンプ圧送装置（３）は、
前記バイアル瓶（１０）と前記導管チューブ（２０）との間に設けられている容器（３０）と、
前記容器（３０）の内部に設けられており前記弁座（４０）と離間可能でありかつ輸液の収容に用いる収容室（５２）を有するケーシング（５０）と、
前記容器（３０）の内部において、前記ケーシング（５０）の底部（５４）に設けられている弁座（４０）と、
前記ケーシング（５０）と前記弁座（４０）との間に設けてられており、かつ前記ケーシング（５０）のバルブシート（５３）に当接可能である下部逆止弁体（４２）と、
穴部（５６）を有し、前記ケーシング（５０）の最上端に設けられている蓋体（５５）と、
前記蓋体（５５）に固設する筐体（６０）と、
前記筐体（６０）の内部に設けられており、前記蓋体（５５）の前記穴部（５６）に当接可能である上部逆止弁体（６１）と、
前記筐体（６０）および前記蓋体（５５）に固設されている芯体（７０）と、
前記容器（３０）に取り付けられており、前記芯体（７０）、前記筐体（６０）、および、前記蓋体（５５）を前記容器（３０）の内部で移動させる少なくとも一つのコイル（８３）と、を有し、
前記ケーシング（５０）が前記弁座（４０）と接近する方向に移動したとき、前記下部逆止弁体（４２）が前記ケーシング（５０）のバルブシート（５３）から離れ、
前記ケーシング（５０）が前記弁座（４０）から離れる方向に移動したとき、前記上部逆止弁体（６１）が前記蓋体（５５）の前記穴部（５６）から離れ、輸液が前記蓋体（５５）に流れることを特徴とする点滴補助用圧送装置。
【請求項２】
前記蓋体（５５）は、前記蓋体（５５）の前記穴部に設けられているパッド体（５７）を有し、
前記パッド体（５７）は、前記上部逆止弁体（６１）に当接する穴部（５９）を有することを特徴とする請求項１記載の点滴補助用圧送装置。
【請求項３】
前記芯体（７０）は、連結具（７１）に固設されており、
前記連結具（７１）は、前記筐体（６０）に固設されていることを特徴とする請求項１記載の点滴補助用圧送装置。
【考案の詳細な説明】
【技術分野】
【０００１】
本考案は点滴補助用圧送装置に関する。
【背景技術】
【０００２】
従来のバイアル瓶のポンプ圧送モータは回転速度が非常に速いため、制御が難しいという課題が残されている。
【考案の概要】
【考案が解決しようとする課題】
【０００３】
本考案の目的は、低速回転と高トルクならびに適切な流量を提供することによる、バイアル瓶内部の輸液を人体へスムーズに圧送可能な点滴補助用圧送装置を提供することにある。
【課題を解決するための手段】
【０００４】
本考案による点滴補助用圧送装置は、輸液を収容するバイアル瓶（１０）と、導管チューブ（２０）と、前記バイアル瓶（１０）と前記導管チューブ（２０）との間に設けられているポンプ圧送装置（３）と、を備える。ポンプ圧送装置（３）は、バイアル瓶（１０）と導管チューブ（２０）との間に設けられている容器（３０）と、容器（３０）の内部に設けられており弁座（４０）と離間可能でありかつ輸液の収容に用いる収容室（５２）を有するケーシング（５０）と、容器（３０）の内部においてケーシング（５０）の底部（５４）に設けられている弁座（４０）と、ケーシング（５０）と弁座（４０）との間に設けてられておりかつケーシング（５０）のバルブシート（５３）に当接可能である下部逆止弁体（４２）と、穴部（５６）を有しケーシング（５０）の最上端に設けられている蓋体（５５）と、蓋体（５５）に固設する筐体（６０）と、筐体（６０）の内部に設けられており蓋体（５５）の穴部（５６）に当接可能である上部逆止弁体（６１）と、筐体（６０）および蓋体（５５）に固設されている芯体（７０）と、コイル（８３）とを有する。コイル（８３）は、容器（３０）に取り付けられており、芯体（７０）、筐体（６０）、および、蓋体（５５）を容器（３０）の内部で移動させる少なくとも一つのコイル（８３）と、を有する。ケーシング（５０）が弁座（４０）と接近する方向に移動したとき、下部逆止弁体（４２）がケーシング（５０）のバルブシート（５３）から離れる。ケーシング（５０）が弁座（４０）から離れる方向に移動したとき、上部逆止弁体（６１）が蓋体（５５）の穴部（５６）から離れ、輸液が蓋体（５５）に流れる。
【図面の簡単な説明】
【０００５】
【図１】本考案の一実施形態による点滴補助用圧送装置を示す斜視図である。
【図２】本考案の一実施形態による点滴補助用圧送装置を示す分解斜視図である。
【図３】本考案の一実施形態による点滴補助用圧送装置を示す断面図である。
【図４】本考案の一実施形態による点滴補助用圧送装置を示す断面図である。
【図５】本考案の一実施形態による点滴補助用圧送装置の動きを示す断面図である。
【図６】本考案の一実施形態による点滴補助用圧送装置の動きを示す断面図である。
【考案を実施するための形態】
【０００６】
（一実施形態）
本考案の一実施形態による点滴補助用圧送装置は、図１に示すように、輸液を収容するバイアル瓶１０と、一端はバイアル瓶１０に接続するびん針２１を有し、他端は人の体に挿す注射針２２に用いる導管チューブ２０と、導管チューブ２０に設けられ、流速を制御するクレンメ２３と、導管チューブ２０にはびん針２１の付近場所に流量監視窓２４と、注射針２２の付近場所に設けられる薬注ポート２５と、バイアル瓶１０と導管チューブ２０との間に設けられ、バイアル瓶１０内部の輸液を圧送するポンプ圧送装置３には、第１端３１と、第２端３２を含む容器３０と、容器３０の第１端３１に設けられ、バイアル瓶１０の頸部１１に挿入して、バイアル瓶１０の輸液を受け入れることができ、容器３０内部の真空状態を防ぐことができ、輸液をスムーズに流出させる空気穴３９を有する挿入針３３と、を含む、そのうち、挿入針３３は、外側に延ばすフラップ３４を有する。
【０００７】
容器３０の内部の第２端３２または中間部３７に仕切り板３５を設けられ、仕切り板３５に流体を流すための穴部３６が開けられている。容器３０の第２端３２に弾性プラグ３８がさらに設けられ、容器３０の第２端３２を封止して、そのうち、導管チューブ２０のびん針２１を容器３０の弾性プラグ３８に挿入することによって、容器３０の輸液を導管チューブ２０に流す、または容器３０の第２端３２を導管チューブ２０に結合させ、容器３０の第２端３２を封止して、容器３０の輸液を導管チューブ２０に流す。
【０００８】
逆止弁の弁座４０を容器３０の内部に設けていて、かつ仕切り板３５が架設され、逆止弁にケーシング５０を容器３０の内部で滑り移動することができるほか、弁座４０に引き寄せまたは離すことができる。ケーシング５０は少なくとも一つの案内棒５１が凸設され、弁座４０の案内穴４１に嵌め込んで、ケーシング５０を弁座４０に引き寄せまたは離すことができる。ケーシング５０に輸液を収容する収容室５２を有し、とおり穴またはバルブシート５３をケーシング５０の底部５４に設けて、輸液の流れを制御する。下部逆止弁体４２がケーシング５０と弁座４０との間に設けられており、かつケーシング５０のバルブシート５３に当接することにより、ケーシング５０から流れる輸液の状態の制御を行う。一例として、ケーシング５０内部の輸液が、下部逆止弁体４２を圧迫し、ケーシング５０のバルブシート５３、図５を参照が離間し、輸液がケーシング５０のバルブシート５３から流出することにより、仕切り板３５の穴部３６を介して、びん針２１の内部に流れる。
【０００９】
蓋体５５はケーシング５０の最上端に設けられ、蓋体５５は少なくとも一つの穴部５６（図２に示す）を有し、もう一つのバルブシート５３またはパッド体５７の取り付けに備えられ、取付具５８をパッド体５７に取り付けることによって、パッド体５７を蓋体５５に固設することができる。そのうち、パッド体５７は、輸液を蓋体５５とパッド体５７に流すための穴部５９（図２に示す）を有する。筐体６０は蓋体５５またはパッド体５７または取付具５８が設けられ、もう一つの上部逆止弁体６１は筐体６０の内部に設けられ、かつパッド体５７に当接し、輸液がパッド体５７の穴部５９に流れる状態を制御する。磁気コアまたは芯体７０は直接、蓋体５５または筐体６０に固設される、または連結具７１を介して、間接的に蓋体５５または筐体６０に固設させることもできる。図２の通り、連結具７１は少なくとも一つのスリット７２を有し、筐体６０に固設するための爪部７３が形成されている。続いて図４を参照する。図に示すように、液体は蓋体５５の穴部５６またはパッド体５７の穴部５９を介して、筐体６０に流して、連結具７１のスリット７２からケーシング５０の収容室５２に流れる。そのうち、芯体７０と、連結具７１と、筐体６０と、蓋体５５はすべてケーシング５０に固設されて、かつ容器３０と弁座４０に対する移動を行うことができる。
【００１０】
ポンプ圧送装置３は、ケーシング５０を駆動させることによって、液体を使用者の体内に注入する駆動装置８も含む。駆動装置８は、収容室８１を有しており、容器３０を収容及び取り付ける外枠８０を含む、外枠８０は、挿入針３３から突き出たフラップ３４を係着して挿入針３３と外枠８０を容器３０に固定するため、少なくとも一つの係着部８２を有する。駆動装置８は、外枠８０の内部に取り付けられ、かつ容器３０の外周縁または中間部３７、特に芯体７０の外側に位置し、芯体７０を容器３０内で移動させる少なくとも一つのコイル８３を含む。駆動装置８には、一つ以上の電池８４が外枠８０取り付けられて、かつコイル８３に連結して、コイル８３に電気を提供し、芯体７０と、筐体６０と、蓋体５５と、ケーシング５０を容器３０と弁座４０に対する上下移動を行う。外枠８０は、芯体７０を制御し、液体をポンプ圧送する。少なくとも一つの制御装置８５を設けることができる。
【００１１】
操作するときは、図５に示すように、芯体７０とケーシング５０がコイル８３によって駆動し、容器３０に対して弁座４０側に移動したとき、ケーシング５０の収容室５２内部の輸液によって、下部逆止弁体４２をケーシング５０のバルブシート５３から離すことによって、輸液をバルブシート５３から流出させ、弁座４０と仕切り板３５の穴部３６を介して、びん針２１に流すことが出来る。これに対して、芯体７０とケーシング５０がコイル８３の駆動によって、弁座４０を離れるとき、下部逆止弁体４２は弾力によって、ケーシング５０のバルブシート５３に当接し、バルブシート５３が閉じ、容器３０の第１端３１に収容された液体によって、上部逆止弁体６１を蓋体５５とパッド体５７とに離すことにより、液体が筐体６０に流れ、連結具７１のスリット７２を介して、ケーシング５０の収容室５２に流れる。一方、芯体７０とケーシング５０がコイル８３の駆動によって、再び弁座４０に移動したとき、ケーシング５０の収容室５２内部の輸液によって、上部逆止弁体６１が蓋体５５とパッド体５７に当接し、液体の逆流防止を可能にする。
【符号の説明】
【００１２】
３：ポンプ圧送装置
８：駆動装置
１０：バイアル瓶、
１１：頸部、
２０：導管チューブ、
２１：針、
２２：注射針、
２３：クレンメ、
２４：流量監視窓、
２５：薬注ポート、
３０：容器、
３１：第１端、
３２：第２端、
３３：挿入針、
３４：フラップ、
３５：仕切り板、
３６：穴部、
３７：中間部、
３８：弾性プラグ、
３９：空気穴、
４０：弁座、
４１：案内穴、
４２：下部逆止弁体、
５０：ケーシング、
５１：案内棒、
５２：収容室、
５３：バルブシート、
５４：底部、
５５：蓋体、
５６：穴部、
５７：パッド体、
５８：取付具、
５９：穴部、
６０：筐体、
６１：上部逆止弁体、
７０：芯体、
７１：連結具、
７２：スリット、
７３：爪部、
８０：外枠、
８１：収容室、
８２：係着部、
８３：コイル、
８４：電池、
８５：制御装置。
【図１】
0003193055.tif 000003
【図２】
0003193055.tif 000004
【図３】
0003193055.tif 000005
【図４】
0003193055.tif 000006
【図５】
0003193055.tif 000007
【図６】
0003193055.tif 000008